(57)【要約】  ドラム式洗濯機のドア(20)は、ドア背面部材(21)、前面板(22)および側面カバー(23)を具備しており、側面カバー(23)が前面板(22)とドア背面部材(21)との間に跨がるように配置された構造である。ドア(20)の１辺に沿った側面には、ドア背面部材(21)の背面から側面の一部にかけて窪んでいる凹部(261)を有する取っ手(26)が形成されている。取っ手(26)では、ドア(20)を背面側から見た場合に、ドア背面部材(21)と側面カバー(23)との間の隙間を覆う突出部(262)が設けられた構造となっている。
2020027176.tif 000002
【特許請求の範囲】
【請求項１】
洗濯機本体の前面部の全体を覆うドアを有するドラム式洗濯機であって、
前記ドアは、ドア背面部材、前面板および側面カバーを具備しており、前記側面カバーが前記前面板と前記ドア背面部材との間に跨がるように配置され、
前記ドアの１辺に沿った側面には、前記ドア背面部材の背面から側面の一部にかけて窪んでいる凹部を有する取っ手が形成されており、
前記取っ手では、前記ドアを背面側から見た場合に、前記ドア背面部材と前記側面カバーとの間の隙間を覆う取っ手保護部が設けられた構造となっていることを特徴とするドラム式洗濯機。
【請求項２】
請求項１に記載のドラム式洗濯機であって、
前記取っ手保護部は、前記取っ手の形成箇所に対応して前記ドア背面部材に設けられ、前記凹部の底面から側方に延伸させた突出部であることを特徴とするドラム式洗濯機。
【請求項３】
請求項１に記載のドラム式洗濯機であって、
前記取っ手保護部は、前記取っ手の形成箇所に対応して前記側面カバーに設けられ、前記側面カバーの前記背面側端面から後方に延伸し、さらに前記ドアの内側に折れ曲がるように形成されていることを特徴とするドラム式洗濯機。
【請求項４】
請求項１に記載のドラム式洗濯機であって、
前記取っ手保護部は、第１平板部と第２平板部とから構成される断面略Ｌ字形状の部材であって、前記ドア背面部材および前記側面カバーと別部材として設けられており、前記第１平板部が前記側面カバーを外側から覆い、前記第２平板部が前記ドア背面部材の前記凹部を背面側から覆うように配置されていることを特徴とするドラム式洗濯機。
【発明の詳細な説明】
【技術分野】
【０００１】
本発明は、ドラム式洗濯機、特に洗濯機本体の前面部の全体を覆う全面タイプドアを有するドラム式洗濯機に関する。
【背景技術】
【０００２】
洗濯機には、洗濯中に洗濯槽を覆うためのドアが設けられている。ドラム式洗濯機では、洗濯機本体の前面側に洗濯槽の洗濯物投入口が設けられているため、ドアも洗濯機本体の前面側に備えられている。従来のドラム式洗濯機では洗濯槽の洗濯物投入口の形に合わせた丸型のドアが一般的であったが、特許文献１には、洗濯機本体の前面部の全体（もしくは略全体）を覆う矩形形状のドア（全面タイプドア）を有する洗濯機が開示されている。このような全面タイプドアを備えるドラム式洗濯機は、デザイン性と低コスト化と取扱い性とを兼ね備えることができる。【０００３】
また、洗濯機は、洗濯中にドアが不所望に開かないようにドア保持機構を有している。このようなドア保持機構は、例えば、ドアの背面側に係合部を設け、洗濯機本体の前面側に被係合部を設け、ドアを閉めたときに係合部と被係合部とが係合することでドアを閉鎖状態で保持するものとなっている。また、このようなドア保持機構では、ドアには可動式の取っ手（ハンドル）が設けられ、ユーザによって取っ手が操作されることでドア保持機構における上記係合状態が外れ（ドアの保持が解除され）、ドアが開放可能となる構成が一般的である。【０００４】
一方、特許文献１では、よりデザイン性を高めるために、ドアにおいて可動式の取っ手が省略されている。その代わりに、特許文献１では、ドアの前面にドア開ボタンを設け、ユーザがドア開ボタンを操作することでドア保持機構におけるドアの保持が解除され、ドアが開放可能となる。
【先行技術文献】
【特許文献】
【０００５】
【特許文献１】特開２０１８−１５１３２号公報
【発明の概要】
【発明が解決しようとする課題】
【０００６】
しかしながら、特許文献１の構成では、ドア開ボタンとドア保持機構をリンクする機構が必要となるため、コストや信頼性における課題が発生する。具体的には、ユーザがドア開ボタンを操作したことを検知する検知手段や、ドア開ボタンの操作が検知されたときにドア保持機構を駆動する駆動手段などが必要となり、これらの手段は洗濯機のコストを増大させる。また、検知手段や駆動手段に故障が生じたときにドアを開放できなくなる恐れもある。【０００７】
特許文献１における上記課題に対しては、ドア開ボタンを省略することも考えられる。すなわち、洗濯機において、ドア側の係合部と洗濯機本体側の被係合部とからなるドア保持機構は設けるが、このドア保持機構における上記係合状態は、ユーザがドアを所定以上の力で引くことで解除されるような構成とすることが考えられる。【０００８】
また、特許文献１において詳細な開示はされていないが、全面タイプドアにおいては、ドア前面側の全体をガラス板とし、このガラス板の周縁部を側面カバーにて覆う構成とすることが考えられる。この場合、ドア本体となるドア背面部材の前面にガラス板を配置し、側面カバーはガラス板とドア背面部材との側面を覆うようにガラス板の端部に嵌められる。【０００９】
さらに、全面タイプドアにおいて、ユーザがドアを所定以上の力で引くことでドアの保持が解除されるようなドア保持機構を設ける場合、ユーザがドアを開くときに手を掛けるための取っ手を設けることも必要である。このような取っ手は、例えば図７（ａ）〜（ｄ）に示すように、ドアの背面から側面の一部にかけて取っ手となる凹部２６１を設けることで形成される。【００１０】
図７に示す構成において、取っ手となる凹部２６１はドア背面部材２１に形成される。一方で、側面カバー２３は、前面板（例えばガラス板）２２とドア背面部材２１との側面を覆うように前面板２２の端部に嵌められているため、側面カバー２３とドア背面部材２１との間の隙間が取っ手となる凹部２６１に露出している。このため、ユーザがドアを開こうとして取っ手に手を掛けたときに、当該隙間にもユーザの手が掛かる場合がある。場合によっては、凹部２６１には十分に手が掛からず、側面カバー２３の背面側端面２３１のみに手が掛かることもあり得る。そして、この状態で、ユーザがドアを開放方向に強く引くと、側面カバー２３に過剰な力が掛かり、側面カバー２３が変形して当該隙間が広がる恐れがある。この変形によって拡大するドア背面部材２１と側面カバー２３との隙間からドア内への水の侵入を生じさせる恐れもある。さらに、広がった隙間がユーザの手に引っ掛かり、ユーザが違和感を感じる恐れもある。【００１１】
本発明は、上記課題に鑑みてなされたものであり、ユーザがドアを開くときにドアの側面カバーへの過剰な力が働くことを防止し、側面カバーの変形を防止できるドラム式洗濯機を提供することを目的とする。
【課題を解決するための手段】
【００１２】
上記の課題を解決するために、本発明のドラム式洗濯機は、洗濯機本体の前面部の全体を覆うドアを有するドラム式洗濯機であって、前記ドアは、ドア背面部材、前面板および側面カバーを具備しており、前記側面カバーが前記前面板と前記ドア背面部材との間に跨がるように配置され、前記ドアの１辺に沿った側面には、前記ドア背面部材の背面から側面の一部にかけて窪んでいる凹部を有する取っ手が形成されており、前記取っ手では、前記ドアを背面側から見た場合に、前記ドア背面部材と前記側面カバーとの間の隙間を覆う取っ手保護部が設けられた構造となっていることを特徴としている。【００１３】
上記の構成によれば、ドア背面部材と側面カバーとの間の隙間が取っ手保護部によって覆われるため、ユーザがドアを開こうとして取っ手に手を掛けたときに、ドア背面部材と側面カバーとの間の隙間にユーザの手が掛かることはない。そのため、ユーザがドアを開放方向に強く引いても、ドア背面部材と側面カバーとの間の隙間に過剰な力が掛かることはなく、側面カバーの変形を防止することができる。【００１４】
また、上記ドラム式洗濯機では、前記取っ手保護部は、前記取っ手の形成箇所に対応して前記ドア背面部材に設けられ、前記凹部の底面から側方に延伸させた突出部である構成とすることができる。【００１５】
また、上記ドラム式洗濯機では、前記取っ手保護部は、前記取っ手の形成箇所に対応して前記側面カバーに設けられ、前記側面カバーの前記背面側端面から後方に延伸し、さらに前記ドアの内側に折れ曲がるように形成されている構成とすることができる。【００１６】
また、上記ドラム式洗濯機では、前記取っ手保護部は、第１平板部と第２平板部とから構成される断面略Ｌ字形状の部材であって、前記ドア背面部材および前記側面カバーと別部材として設けられており、前記第１平板部が前記側面カバーを外側から覆い、前記第２平板部が前記ドア背面部材の前記凹部を背面側から覆うように配置されている構成とすることができる。
【発明の効果】
【００１７】
本発明のドラム式洗濯機は、ドア背面部材と側面カバーとの間の隙間が取っ手保護部によって覆われ、ユーザがドアを開こうとして取っ手に手を掛けたときに、ドア背面部材と側面カバーとの間の隙間にユーザの手が掛からない構成とされている。そのため、ユーザがドアを開放方向に強く引いても、ドア背面部材と側面カバーとの間の隙間に過剰な力が掛かることはなく、側面カバーの変形を防止することができるといった効果を奏する。
【図面の簡単な説明】
【００１８】
【図１】実施の形態１に係るドラム式洗濯機を斜め前方かつ斜め上方から見たときの外観を示しており、ドラム式洗濯機のドアを閉鎖した状態を示す斜視図である。
【図２】実施の形態１に係るドラム式洗濯機を斜め前方かつ斜め上方から見たときの外観を示しており、ドラム式洗濯機のドアを開放した状態を示す斜視図である。
【図３】実施の形態１に係る取っ手の形状を示すものであり、（ａ）は取っ手をドアの斜め後方かつ斜め上方から見たときの斜視図、（ｂ）は取っ手をドアの側方から見たときの側面図、（ｃ）は取っ手をドアの後方から見たときの背面図、（ｄ）は（ｃ）のＡ−Ａ断面図である。
【図４】実施の形態２に係る取っ手の形状を示すものであり、（ａ）は取っ手をドアの斜め後方かつ斜め上方から見たときの斜視図、（ｂ）は取っ手をドアの側方から見たときの側面図、（ｃ）は取っ手をドアの後方から見たときの背面図、（ｄ）は（ｃ）のＡ−Ａ断面図である。
【図５】実施の形態３に係る取っ手の形状を示すものであり、（ａ）は取っ手をドアの斜め後方かつ斜め上方から見たときの斜視図、（ｂ）は取っ手をドアの側方から見たときの側面図、（ｃ）は取っ手をドアの後方から見たときの背面図、（ｄ）は（ｃ）のＡ−Ａ断面図である。
【図６】実施の形態４に係る取っ手が形成されたドアの背面図である。
【図７】従来の取っ手の形状を示すものであり、（ａ）は取っ手をドアの斜め後方かつ斜め上方から見たときの斜視図、（ｂ）は取っ手をドアの側方から見たときの側面図、（ｃ）は取っ手をドアの後方から見たときの背面図、（ｄ）は（ｃ）のＡ−Ａ断面図である。
【発明を実施するための形態】
【００１９】
〔実施の形態１〕
以下、本発明の実施の形態について、図面を参照して詳細に説明する。図１および図２は、本実施の形態１に係るドラム式洗濯機１を斜め前方かつ斜め上方から見たときの外観を示す斜視図であり、図１がドア２０を閉鎖した状態、図２がドア２０を開放した状態を示している。尚、本願では、洗濯と乾燥とを行うことができるドラム式洗濯乾燥機と、乾燥を行わず洗濯のみを行うドラム式洗濯機とを総称して、ドラム式洗濯機１と呼んでいる。
【００２０】
ドラム式洗濯機１は、大略的には、洗濯機本体１０とドア２０とにより構成されており、洗濯機本体１０はその前面に洗濯物投入口１１を有している。ドア２０は、洗濯物投入口１１を覆うように洗濯機本体１０の前面に設けられている。すなわち、ドア２０は洗濯機本体１０の前面を開閉するように設けられている。
【００２１】
ドラム式洗濯機の多くでは、ドアの形状は洗濯槽の投入口に合わせた丸型となっているが、本実施の形態１に係るドラム式洗濯機１では、ドア２０は、洗濯機本体１０前面のほぼ全体を覆う矩形形状の全面タイプドアとされている。このような全面タイプドアを用いるドラム式洗濯機１は、一枚物のドア２０によって洗濯機本体１０前面の全体が覆われるため、ドア２０が洗濯物投入口１１の形状に依存する必要性がなくなり、複数のパネル部品を組み立てるときに生じる分割線もドア２０で隠される。その結果、デザイン性と低コスト化と取扱性とを兼ね備えるドラム式洗濯機１を提供できる。
【００２２】
ドア２０は、大略的には、ドア背面部材２１、前面板２２および側面カバー２３により構成されている。すなわち、ドア２０では、前面板２２がドア背面部材２１の前面側に配され、側面カバー２３によってその周縁部が固定される。一例として、前面板２２はガラス板や樹脂板などであり、ドア背面部材２１および側面カバー２３は樹脂成形品である。具体的には、側面カバー２３は、ドア２０の各辺でドア背面部材２１の側面を覆う側板と前面板２２の周縁部を前面側から覆う前板とが断面Ｌ字形状となる枠部材であり、側面カバー２３は前面板２２とドア背面部材２１との側面に跨るように前面板２２の周縁部に嵌められる。これにより、側面カバー２３とドア背面部材２１との間に前面板２２の周縁部を挟み込むようにして前面板２２が固定される。尚、ここでは、ドア背面部材２１を１つの部材として扱うが、ドア背面部材２１は複数のパネル部品を組み合わせて構成されるものであってもよい。
【００２３】
ドア２０は、左右の何れかの一端側で２つのヒンジ３０によって洗濯機本体１０に対して回動自在に軸支されており、他端側にはドア係合部２４が設けられている。また、洗濯機本体１０の前面には、ドア係合部２４と対向する箇所にドア被係合部１２が設けられている。すなわち、ドラム式洗濯機１では、ドア係合部２４とドア被係合部１２とによってドア保持機構が構成されており、ドア２０を閉めたときにはドア係合部２４とドア被係合部１２との係合によってドア２０の閉鎖状態が保持される。尚、ドラム式洗濯機１におけるドア保持機構は他の要素（可動式の取っ手やドア開ボタンなど）とは連動しておらず、ユーザがドア２０を開く場合には、ドア２０を所定以上の力で引くことでドアの保持が解除されるようになっている。
【００２４】
洗濯物投入口１１はドア２０によって閉じられるが、詳細には、ドア２０に設けられた突出閉止部２５にて閉じられる。すなわち、ドア２０の背面側には、突出閉止部２５が設けられている。突出閉止部２５は、ドア２０の背面から後方側に突出しており、洗濯物投入口１１を液密で閉じるように構成されている。また、突出閉止部２５は、透光性の部材から構成されている。したがって、ドア２０の閉鎖状態においては、前面板２２および突出閉止部２５を通じて洗濯物投入口１１の内部（洗濯槽の内部）を視認できる。
【００２５】
さらに、ドア２０の他端側には、閉鎖状態のドア２０を開くときに、ユーザが手を掛けて力を作用させるための取っ手２６が設けられている。本実施の形態１に係るドア２０は取っ手２６の形状に特徴を有するものであり、以下、取っ手２６についての詳細な説明を行う。図３は本実施の形態１に係る取っ手２６の形状を示すものであり、（ａ）は取っ手２６をドア２０の斜め後方かつ斜め上方から見たときの斜視図、（ｂ）は取っ手２６をドア２０の側方から見たときの側面図、（ｃ）は取っ手２６をドア２０の後方から見たときの背面図、（ｄ）は（ｃ）のＡ−Ａ断面図である。尚、取っ手２６は、ドア２０の左右端側に限らず、上下端側に設けてもよく、この場合も、ドア２０がヒンジ３０によって軸支されている側とは反対側（上記の他端側）に取っ手２６を寄せて配置することが好ましい。
【００２６】
取っ手２６は、基本的には、ドア背面部材２１においてドア２０の背面から側面の一部にかけて窪んでいる凹部２６１として形成される。但し、このような凹部２６１を設けるのみでは、図７に示したような構成となり、取っ手の形成箇所で側面カバー２３とドア背面部材２１との間の隙間が露出する。このため、上述したように、ユーザがドア２０を開こうとする場合に当該隙間に過剰な力が掛かり、側面カバー２３の変形を引き起こす恐れがある。
【００２７】
これに対し、図３に示す取っ手２６の構成では、ドア背面部材２１において、凹部２６１の底面から側方に延伸させた突出部（取っ手保護部）２６２を形成している。このため、取っ手２６では、ドア２０を背面側から見た場合に、ドア背面部材２１と側面カバー２３との間の隙間が突出部２６２によって覆われ、側面カバー２３の背面側端面２３１が露出しない構造となる。この場合、ユーザがドア２０を開こうとして取っ手２６に手を掛けたときに、ドア背面部材２１と側面カバー２３との間の隙間や側面カバー２３の背面側端面２３１にユーザの手が掛かることはない。そのため、ユーザがドア２０を開放方向に強く引いても、ユーザの力が直接作用する部分（図中、斜線ハッチングにて示す）はドア背面部材２１にのみ存在し、側面カバー２３に過剰な力が掛かることはなく、側面カバー２３の変形を防止することができる。
【００２８】
尚、図３に示す取っ手２６において、突出部２６２の先端は、側面カバー２３よりもさらに外側に僅かに突出した構成とされている。この場合、ドア２０の閉鎖状態でドラム式洗濯機１を正面から見たときに、突出部２６２の先端がユーザから視認でき、ユーザが取っ手２６の位置を容易に認識できるといった利点もある。
【００２９】
〔実施の形態２〕
本実施の形態２では、取っ手２６の変形例を説明する。図４は本実施の形態２に係る取っ手２６の形状を示すものであり、（ａ）は取っ手２６をドア２０の斜め後方かつ斜め上方から見たときの斜視図、（ｂ）は取っ手２６をドア２０の側方から見たときの側面図、（ｃ）は取っ手２６をドア２０の後方から見たときの背面図、（ｄ）は（ｃ）のＡ−Ａ断面図である。
【００３０】
図４に示す取っ手２６において、ドア背面部材２１には、ドア２０の背面から側面の一部にかけて窪んでいる凹部２６１が形成されるが、図３に示す突出部２６２は設けられていない。その代りに、側面カバー２３において保護板（取っ手保護部）２６３が設けられている。
【００３１】
保護板２６３は、取っ手２６の形成箇所に対応して設けられており、側面カバー２３の背面側端面２３１から後方に延伸し、さらにドア２０の内側に折れ曲がるように形成されている。そして、取っ手２６において、保護板２６３は凹部２６１の底面に対して背面側から接触するように配置されている。
【００３２】
図４に示す取っ手２６では、ドア２０を背面側から見た場合に、ドア背面部材２１と側面カバー２３との間の隙間が保護板２６３によって覆われ、ドア２０の側面部におけるドア背面部材２１と側面カバー２３との間の隙間が露出しない構造となる。この場合、ユーザがドア２０を開こうとして取っ手２６に手を掛けたときに、ユーザの力が直接作用する部分（図中、斜線ハッチングにて示す）は側面カバー２３の保護板２６３となる。但し、保護板２６３は凹部２６１の底面に対して背面側から接触しているため、保護板２６３に加えられる力の殆どは、保護板２６３からドア背面部材２１に伝達される。したがって、ユーザがドア２０を開放方向に強く引いても、ドア背面部材２１と側面カバー２３との間の隙間が拡大する力が掛かることはなく、側面カバー２３の変形を防止することができる。
【００３３】
〔実施の形態３〕
本実施の形態３では、取っ手２６の他の変形例を説明する。図５は本実施の形態３に係る取っ手２６の形状を示すものであり、（ａ）は取っ手２６をドア２０の斜め後方かつ斜め上方から見たときの斜視図、（ｂ）は取っ手２６をドア２０の側方から見たときの側面図、（ｃ）は取っ手２６をドア２０の後方から見たときの背面図、（ｄ）は（ｃ）のＡ−Ａ断面図である。
【００３４】
図５に示す取っ手２６において、ドア背面部材２１には、ドア２０の背面から側面の一部にかけて窪んでいる凹部２６１が形成されるが、図３に示す突出部２６２は設けられていない。その代りに、ドア背面部材２１および側面カバー２３の両方を覆うような取っ手カバー部材（取っ手保護部）２７が別部材として追加されている。
【００３５】
取っ手カバー部材２７は、第１平板部２７１と第２平板部２７２とから構成される断面略Ｌ字形状の部材である。取っ手カバー部材２７は、第１平板部２７１が側面カバー２３を外側から覆い、第２平板部２７２がドア背面部材２１の凹部２６１を背面側から覆うように配置される。すなわち、取っ手２６において、取っ手カバー部材２７の第２平板部２７２は凹部２６１の底面に対して背面側から接触するように配置されている。尚、取っ手カバー部材２７は、ドア背面部材２１や側面カバー２３に対して嵌合、接着、またはビス（図示せず）などにより取り付けることができる。
【００３６】
図５に示す取っ手２６では、ドア２０を背面側から見た場合に、ドア背面部材２１と側面カバー２３との間の隙間が取っ手カバー部材２７によって覆われ、側面カバー２３の背面側端面２３１が露出しない構造となる。この場合、ユーザがドア２０を開こうとして取っ手２６に手を掛けたときに、ユーザの力が直接作用する部分（図中、斜線ハッチングにて示す）は取っ手カバー部材２７となる。但し、取っ手カバー部材２７の第２平板部２７２は凹部２６１の底面に対して背面側から接触しているため、取っ手カバー部材２７に加えられる力の殆どは、第２平板部２７２からドア背面部材２１に伝達される。したがって、ユーザがドア２０を開放方向に強く引いても、ドア背面部材２１と側面カバー２３との間の隙間や側面カバー２３の背面側端面２３１に過剰な力が掛かることはなく、側面カバー２３の変形を防止することができる。さらに、本実施の形態３では、取っ手カバー部材２７を側面カバー２３とは別部材としているため、取っ手カバー部材２７に加えられる力が側面カバー２３に伝達することを防止できる。したがって、ユーザがドア２０を開放方向に強く引いても、側面カバー２３に過剰な力が掛かることをさらに抑制でき、側面カバー２３の変形を防止することができる。
【００３７】
また、図５に示す取っ手２６においては、第１平板部２７１が側面カバー２３よりもさらに外側に配置されるため、ドア２０の閉鎖状態でドラム式洗濯機１を正面から見たときに、第１平板部２７１がユーザから視認でき、ユーザが取っ手２６の位置を容易に認識できるといった利点もある。
【００３８】
〔実施の形態４〕
本実施の形態４では、取っ手２６のさらに他の変形例を説明する。図６は本実施の形態４に係る取っ手２６が形成されたドア２０の背面図である。本実施の形態４における取っ手２６は、実施の形態１に係る取っ手２６と類似した構成である。但し、実施の形態１に係る取っ手２６では、凹部２６１および突出部２６２がドア背面部材２１に形成されているのに対し、本実施の形態４では、ドア２０に取っ手パネル２８を設け、凹部２６１および突出部２６２が取っ手パネル２８に形成される構成としている。
【００３９】
図６に示すように、本実施の形態４に係るドア２０では、ドア２０の背面の一部がドア背面部材２１から別部材として分割された取っ手パネル２８（図中、太線にて囲んだ部材）とされている。取っ手パネル２８は、ドア背面部材２１に対して嵌合、接着、またはビス（図示せず）などにより取り付けることができる。
【００４０】
本実施の形態４に係る取っ手２６（凹部２６１および突出部２６２）は取っ手パネル２８において形成されるが、側面カバー２３の背面側端面２３１が突出部２６２にて覆われる構成となることは実施の形態１に係る取っ手２６と同じである。したがって、ユーザがドア２０を開こうとして取っ手２６を開放方向に引いた場合、ユーザの力は取っ手パネル２８からドア背面部材２１に伝達し、側面カバー２３に過剰な力が掛かることはなく、側面カバー２３の変形を防止することができる。また、本実施の形態４では、ユーザの力が掛かる取っ手２６は取っ手パネル２８に形成されるため、ドア背面部材２１とは異なる材質とすることができる。したがって、取っ手パネル２８のみを強度の高い材質や形状としながら、コストを抑えることができる。また、凹部２６１および突出部２６２といった複雑な形状をドア背面部材２１に形成する必要がなくなるため、ドア背面部材２１の形成や強度確保が容易になる。
【００４１】
今回開示した実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【００４２】
〔援用の記載〕
本国際出願は、２０１８年８月２日に日本特許庁に出願された日本国特許出願第２０１８−１４５９０１号に基づく優先権を主張するものであり、日本国特許出願第２０１８−１４５９０１号の全内容を参照により本国際出願に援用する。
【符号の説明】
【００４３】
１    ドラム式洗濯機
１０    洗濯機本体
１１    洗濯物投入口
１２    ドア被係合部
２０    ドア
２１    ドア背面部材
２２    前面板
２３    側面カバー
２３１    背面側端面
２４    ドア係合部
２５    突出閉止部
２６    取っ手
２６１    凹部
２６２    突出部（取っ手保護部）
２６３    保護板（取っ手保護部）
２７    取っ手カバー部材（取っ手保護部）
２７１    第１平板部
２７２    第２平板部
２８    取っ手パネル
【図１】
2020027176.tif 000003
【図２】
2020027176.tif 000004
【図３】
2020027176.tif 000005
【図４】
2020027176.tif 000006
【図５】
2020027176.tif 000007
【図６】
2020027176.tif 000008
【図７】
2020027176.tif 000009
【国際調査報告】
2020027176.tif 000010
2020027176.tif 000011
2020027176.tif 000012
2020027176.tif 000013